(57)【特許請求の範囲】
【請求項１】
中央部に開口を有するベース板を有し、側方にシャッタ制御部を有し、光軸に直交する方向に移動して上記開口を開閉するシャッタ羽根を有するシャッタ装置と、
上記シャッタ装置より光軸方向後方側に配置された撮像素子と、
上記シャッタ装置の上記シャッタ制御部下方に有する被チャージレバーをチャージするためのカム部を有するカム板と、
回転中心が上記撮像素子より光軸方向後方側とカメラ後方に配置されたＬＣＤ表示部との間の下方に配置され、かつ、レバー先端が光軸方向前方側に向って配置され、上記カム板により該回転中心を中心に水平方向に揺動し、該レバー先端が上記被チャージレバーをチャージする揺動レバーと、
を有することを特徴とした一眼レフカメラ。
【請求項２】
上記被チャージレバーは、光軸と直交する平面に沿う方向に揺動し、上記揺動レバーは、水平方向に揺動することを特徴とした請求項１に記載の一眼レフカメラ。
【発明の詳細な説明】
【技術分野】
【０００１】
本発明は、一眼レフカメラの、特にカメラボディ内の配置に関する。
【背景技術】
【０００２】
従来の一眼レフカメラで縦走り式シャッタ装置を内蔵するカメラボディ内の一般的な配置は、図４の従来の一眼レフカメラボディを上側から見た概略の配置図に示される。
【０００３】
図４に示す従来の一眼レフカメラ１００においては、カメラボディ５１内の中央部に前板５２に固着された状態でミラーボックス５３が配されている。ミラーボックス５３の光軸Ｏ方向の後面には、縦走り式シャッタ装置５５が固着され、シャッタ装置５５の光軸Ｏ方向の後側に撮像素子６２が撮像素子基板６３に実装された状態で配されている。
【０００４】
シャッタ装置５５は、ベース板（地板）５５ａを有しており、このベース板５５ａの右端部にシャッタ開閉駆動のためのシャッタ制御部５６が配されている。シャッタ制御部５６の下部の光軸方向前方側（撮影レンズ側）には、シャッタ制御部５６を駆動するためのカム部６１及び揺動レバー５８が配されている。
【０００５】
詳しくは、揺動レバー５８はベース板５５ｃの位置よりも光軸Ｏ方向の前方側に配される支持軸５９により揺動可能に支持されており、該揺動レバー５８は、カム部６１の回転により揺動駆動され、シャッタ制御部５６に設けられている被チャージレバー５７の先端を押圧駆動し、シャッタチャージを行う。
【０００６】
なお、ミラーボックス５３の前面には、交換レンズを装着するためのボディマウント５４が固着されている。また、カメラボディ５１の右側には、カメラホールド用のグリップ部５１ａが設けられる。
【０００７】
従来の一眼レフカメラで縦走り式シャッタ装置の揺動レバーの配置が図４に示したものと類似するものとして特許文献１にも開示されたカメラがある。
【特許文献１】特開平７−３６１０４号公報
【発明の開示】
【発明が解決しようとする課題】
【０００８】
しかし、図４に示した従来の一眼レフカメラ１００の場合、揺動レバー５８の揺動支点（支持軸５９の位置）がシャッタ制御部５６より前側、すなわち、ベース板５５ａより前側に配されているため、シャッタ制御部５６の前方に該レバーを配置するためのスペースが必要である。従って、カメラボディ５１のグリップ部５１ａの凹部５１ｂとシャッタ装置５５の光軸方向後面（撮像素子側）との距離Ｂ0 が長くなる。結果としてグリップ部５１ａの前後方向の厚みＡ0 が厚くなる。さらにはレンズマウント５４までの距離Ｅ0 も短くすることができず、カメラの小型化、コンパクト化の支障となっていた。
【０００９】
本発明は、上述の問題を解決するためになされたものであり、一眼レフカメラにおいて、カメラボディのコンパクト化が可能なものを提供することを目的とする。
【課題を解決するための手段】
【００１０】
本発明の請求項１記載の一眼レフカメラは、中央部に開口を有するベース板を有し、側方にシャッタ制御部を有し、光軸に直交する方向に移動して上記開口を開閉するシャッタ羽根を有するシャッタ装置と、上記シャッタ装置より光軸方向後方側に配置された撮像素子と、上記シャッタ装置の上記シャッタ制御部下方に有する被チャージレバーをチャージするためのカム部を有するカム板と、回転中心が上記撮像素子より光軸方向後方側とカメラ後方に配置されたＬＣＤ表示部との間の下方に配置され、かつ、レバー先端が光軸方向前方側に向って配置され、上記カム板により該回転中心を中心に水平方向に揺動し、該レバー先端が上記被チャージレバーをチャージする揺動レバーと、を有することを特徴とする。
【００１１】
本発明の請求項２記載の一眼レフカメラは、請求項１に記載の一眼レフカメラにおいて、上記被チャージレバーは、光軸と直交する平面に沿う方向に揺動し、上記揺動レバーは、水平方向に揺動する。
【発明の効果】
【００１２】
本発明によれば、一眼レフカメラにおけるカメラボディのコンパクト化が実現できる。
【発明を実施するための最良の形態】
【００１３】
以下、図を用いて本発明の実施形態について説明する。 
図１は、本発明の一実施形態の一眼レフカメラにおけるカメラボディ内の上方から見た概略の配置図である。図２は、上記カメラボディに内蔵されるミラーボックス、シャッタ装置、および、揺動レバーとその駆動系を前方下側から見た分解斜視図である。図３は、上記揺動レバーおよびその駆動系を上方側から見た図である。
【００１４】
なお、上記カメラボディの撮影レンズ側を光軸Ｏ方向の前方側とし、撮像素子側を光軸Ｏ方向後方側とし、左右方向（水平方向）は、図１の上方から見た左右方向で示す（後方側から見た左右方向）。
【００１５】
本実施形態の一眼レフカメラ２０は、デジタルカメラタイプであって、図１に示すようにカメラボディ１内の中央部に前板２に固着された状態でミラーボックス３が配されている。ミラーボックス３の後面には、縦走り式のシャッタ装置５が固着され、シャッタ装置５の後面５ｂ側に撮像素子１２が撮像素子基板１３に実装された状態で配されている。また、シャッタ装置５の右下方部に揺動レバー９およびチャージ駆動系が配されている。
【００１６】
図１，２に示すようにミラーボックス３には、内部に可動ミラー２１が配され、上部にプリズム２２と接眼部２３が配されている。
【００１７】
また、シャッタ装置５は、ベース板５ｃを有しており、このベース板５ｃの中央部にシャッタ羽根６によって開閉されるシャッタ開口部５ａが配され、開口部５ａの右側にシャッタ開閉を駆動のためのシャッタ制御部７が配されている。なお、開口部５ａが設けられる面の後面５ｂは光軸Ｏと直交しており、シャッタ羽根６は、その後面５ｂと平行な方向に開閉移動する。
【００１８】
シャッタ制御部７には、シャッタチャージ時に駆動される揺動可能な被チャージレバー８が設けられており、被チャージレバー８は、光軸Ｏと直交する面に沿って揺動駆動される。そして、その先端部は下方に突出しており、その先端部は、チャージ駆動時に左方向に後述する揺動レバー９によって揺動駆動される。
【００１９】
シャッタ制御部７の下方部に支持軸１０により揺動可能に支持されるチャージレバーとなる揺動レバー９と上記チャージ駆動系とが配される。
【００２０】
上記チャージ駆動系は、チャージモータ２４と、該モータのピニオン２５により駆動されるギヤ列２６と、ギヤ列２６により駆動されるギヤ部を有するカム板２７とを有しており、カム板２７には上面側にチャージ駆動用カム部１１と下面側にミラー駆動用カム部２８が一体的に設けられる。
【００２１】
揺動レバー９は、支持軸１０により揺動自在に支持され、カム部１１により押圧駆動される従動ローラ９ａと、先端部に被チャージレバー８と係合するローラ９ｂが配されている。支持軸１０は、シャッタ装置５のシャッタ制御部７の下部後方位置で、かつ、ベース板５ｃより光軸Ｏ方向の後側に配されている。また、揺動レバー９は、先端のローラ９ｂが支持軸１０の前方側に位置する状態で支持される。
【００２２】
そして、揺動レバー９は、チャージ動作時にカム板２７のカム部１１の一方回転（Ｄ1 方向）によって支持軸１０を中心にして水平方向（左右方向）に揺動され（Ｓ1 方向）、ローラ９ｂにより被チャージレバー８の先端部をそのチャージ力に抗して左方向に押圧駆動することができる（図３）。
【００２３】
なお、前板２の前面には、交換レンズを装着するためのボディマウント４が固着されている。また、カメラボディ１の右側には、カメラホールド用のグリップ部１ａとグリップ用凹部１ｂが設けられる。
【００２４】
上述した構成を有する一眼レフカメラ２０において、撮像素子１２の露光を行うに先立ってシャッタ装置５のチャージが行われるが、そのチャージ動作は、チャージモータ２４の駆動により行われ、該モータによってカム板２７をＤ1 方向に回転駆動させ、さらに、カム板２７の回転に伴って揺動レバー９がＳ1 方向に揺動し、被チャージレバー８を揺動駆動させる。被チャージレバー８の揺動によってシャッタ装置５のチャージが行われる。
【００２５】
一眼レフカメラ２０のカメラボディ１においては、上述したように揺動レバー９がシャッタ装置５の右側後方に位置する支持軸１０により支持され、その先端側のローラ９ｂが前方側に位置し、シャッタ制御部７よりも前方に略突出しない状態に配置されている。従って、カメラボディ１のグリップ部１ａの凹部１ｂの前後方向の距離Ｂ1 （凹部１ｂとシャッタ装置５の後面５ｂ間の距離）を図４の従来のカメラボディ５１のように揺動レバー５８の支持軸位置に影響されることなく、短くすることができ、該凹部１ｂ位置を後方側に下げることができる。
【００２６】
なお、カメラボディ１のシャッタ装置５より後方部には、撮像素子１２の他に（図示せず）ＬＣＤ表示部（図示せず）等が配されているが、従来の一眼レフカメラと略同じ所定の距離Ｃ1 の範囲に上記支持軸１０を配置することは可能である。
【００２７】
上述のように凹部１ｂ位置を後方側に下げることによってグリップ部１ａの前後方向の厚みＡ1 を薄くすることができ、カメラボディ１のコンパクト化が可能となる。さらに、ミラーボックス３およびボディマウント４の光軸Ｏ方向の長さＥ1 が短いものを配置する場合にも支障にならず、カメラの小型化が可能となる。
【００２８】
なお、本実施形態の一眼レフカメラは、デジタルカメラとしたが、銀塩式カメラに対してもフィルム走行経路を避けて揺動レバー９を配することによって同様の配置を採用することが可能であり、銀塩式カメラのコンパクト化が実現できる。
【００２９】
この発明は、上記実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００３０】
本発明による一眼レフカメラは、カメラボディのコンパクト化が可能なものとして利用することができる。
【図面の簡単な説明】
【００３１】
【図１】本発明の一実施形態の一眼レフカメラのカメラボディ内の上側から見た概略の配置図である。
【図２】図１のカメラボディに内蔵されるミラーボックス、シャッタ装置、および、揺動レバーとチャージ駆動系を前方下側から見た分解斜視図である。
【図３】図２の揺動レバーおよびチャージ駆動系を上方側から見た図である。
【図４】従来の一眼レフカメラボディを上側から見た概略の配置図である。
【符号の説明】
【００３２】
６  …シャッタ羽根
７  …シャッタ制御部
８  …被チャージレバー
９  …揺動レバー
１１  …カム部
２７  …カム板
【図１】
0004842597.tif 000002
【図２】
0004842597.tif 000003
【図３】
0004842597.tif 000004
【図４】
0004842597.tif 000005